(57)【特許請求の範囲】
【請求項１】
壁下地と、該壁下地の外側に配される既設の防水シートと、該既設の防水シートの外側に配された既設のモルタルを含む既設のモルタル層とからなる既設のモルタル外壁に、少なくとも前記壁下地を残して、既設のモルタル層を切断除去し、この切断除去された既設のモルタル層の切断面に、新設のモルタル層を接続させたモルタル外壁の接合構造であって、
前記切断面は、前記既設のモルタル層の外面側から前記壁下地側へのびる第１縦切断面と、前記第１縦切断面の前記壁下地側の内端から新設のモルタル層側へのびる横切断面と、前記横切断面の新設のモルタル層側の端部から前記壁下地側へのびる第２縦切断面とを含むクランク状をなすことにより、前記新設のモルタル層は、前記横切断面を覆う覆い部を有し、
前記新設のモルタル層の前記覆い部には、補強用ネットが埋設され、
前記補強用ネットは、既設のモルタル層側の端部が、前記第２縦切断面よりも既設のモルタル層側に配されるとともに、新設のモルタル層側の端部が、前記第２縦切断面よりも新設のモルタル層側に配されることを特徴とするモルタル外壁の接合構造。
【請求項２】
前記補強用ネットは、耐アルカリ性を有するガラス繊維ネットからなる請求項１に記載のモルタル外壁の接合構造。
【請求項３】
前記新設のモルタル層は、前記既設のモルタル層の前記切断面から露出する前記壁下地の外側に配された新設の防水シート、
前記新設の防水シートの外側に配された新設のラス網、
前記新設の防水シートと、前記新設のラス網とを被覆する新設のモルタルを含み、
前記補強用ネットは、前記新設のモルタル層の覆い部の全域に配される請求項１又は２に記載のモルタル外壁の接合構造。
【請求項４】
前記新設のモルタル層は、前記新設のモルタルの内側、かつ前記第２縦切断面と前記壁下地との入隅で、前記新設の防水シートと前記第２縦切断面との間を水密する第１樹脂モルタルを含む請求項３に記載のモルタル外壁の接合構造。
【請求項５】
前記新設のモルタル層は、前記新設のモルタルの内側で、前記第１樹脂モルタルに連続し、かつ前記第１縦切断面と、前記横切断面と、前記第２縦切断面とに沿って配置される第２樹脂モルタルを含む請求項４に記載のモルタル外壁の接合構造。
【請求項６】
壁下地と、該壁下地の外側に配される既設の防水シートと、該既設の防水シートの外側に配された既設のモルタルを含む既設のモルタル層とからなる既設のモルタル外壁に、少なくとも前記壁下地を残して、前記既設のモルタル層を切断除去する切断面形成工程と、
この切断除去された前記既設のモルタル層の切断面に、新設のモルタル層を接続させる新設モルタル層形成工程と含むモルタル外壁の接合方法であって、
前記切断面形成工程では、前記既設モルタル層の外面側から前記壁下地側へのびる第１縦切断面と、前記第１縦切断面の内端から新設のモルタル層側へのびる横切断面と、前記横切断面の新設のモルタル層側の端部から前記壁下地側へのびる第２縦切断面とを含むクランク状の切断面を形成し、
前記新設モルタル層形成工程では、前記新設のモルタルを塗布するモルタル塗布工程と、
前記横切断面を覆う前記新設のモルタル層の覆い部に、補強用ネットを埋設する補強用ネット埋設工程とを含み、
前記補強用ネットは、既設のモルタル層側の端部が、前記第２縦切断面よりも既設のモルタル層側に配されるとともに、前記新設のモルタル層側の端部が、前記第２縦切断面よりも新設のモルタル層側に配されることを特徴とするモルタル外壁の接合方法。
【請求項７】
前記新設モルタル層形成工程では、前記モルタル塗布工程と、前記補強用ネット埋設工程とに先立ち、
前記既設のモルタル層の前記切断面から露出する前記壁下地の外側に、新設の防水シートを配する防水シート配置工程、
前記新設の防水シートの外側に新設のラス網を配するラス網配置工程を含む請求項６に記載のモルタル外壁の接合方法。
【請求項８】
前記新設モルタル層形成工程では、前記第２縦切断面と前記壁下地との入隅で、前記新設の防水シートと前記第２縦切断面との間に、第１樹脂モルタルを配して水密する第１樹脂モルタル配置工程を含む請求項７に記載のモルタル外壁の接合方法。
【請求項９】
前記新設モルタル層形成工程では、前記第１樹脂モルタルの上端に連続させ、かつ前記第１縦切断面と、前記横切断面と、前記第２縦切断面とに沿って第２樹脂モルタルを配する第２樹脂モルタル配置工程を含む請求項８に記載のモルタル外壁の接合方法。
【発明の詳細な説明】
【技術分野】
【０００１】
本発明は、モルタル層の接合部での耐久性を維持しつつ、防水性を向上しうるモルタル外壁の接合構造及びモルタル外壁の接合方法に関する。
【背景技術】
【０００２】
近年、家族構成や生活環境の変化に伴って、住宅のリフォームが一般的に行われている。このリフォームでは、例えば、部屋数を増やすために、既設の外壁が延設される。この既設の外壁がモルタル外壁である場合の延設方法として、例えば、下記特許文献１において、モルタル外壁の接合構造及び方法が提案されている。
【０００３】
この接合構造は、既設のモルタル層の切断面から延設され、かつ複数かつ長尺な板材が隙間を空けて配されたラス板、又は構造用合板等の面材に貼付される防水テープ、該防水テープと切断面とがなす入隅部を水密するシーリング材、該シーリング材を埋設する無収縮性固化材、前記防水テープに積層される防水シート、該防水シートに積層されるラス網、及びこれらを埋設する新設のモルタルを含む。
【０００４】
このような接合構造では、シーリング材が、防水テープと切断面との隙間を塞ぐとともに、無収縮性固化材が、シーリング材の周囲で固化することにより、接合部での防水性の向上が図られている。
【先行技術文献】
【特許文献】
【０００５】
【特許文献１】特許第４２２２５７７号公報
【発明の概要】
【発明が解決しようとする課題】
【０００６】
しかしながら、上記のような接合構造では、切断面が、モルタル外壁の外面から壁下地へ略直線状にのび、かつその長さが小さいため、クラックが発生しやすく、雨水が切断面を通って壁下地へ到達しやすく、防水性を十分に向上できないという問題もあった。
【０００７】
本発明は、以上のような実状に鑑み案出されたもので、既設のモルタルの切断面を、第１縦切断面、横切断面及び第２切断面を有するクランク状にして水道の長さを大きくするとともに、新設のモルタル層に横切断面を覆う覆い部を形成し、この覆い部に、所定の補強用ネットを埋設することを基本として、モルタル層の接合部での耐久性を維持しつつ、防水性を向上しうるモルタル外壁の接合構造及びモルタル外壁の接合方法を提供することを主たる目的としている。
【課題を解決するための手段】
【０００８】
本発明のうち請求項１記載の発明は、壁下地と、該壁下地の外側に配される既設の防水シートと、該既設の防水シートの外側に配された既設のモルタルを含む既設のモルタル層とからなる既設のモルタル外壁に、少なくとも前記壁下地を残して、既設のモルタル層を切断除去し、この切断除去された既設のモルタル層の切断面に、新設のモルタル層を接続させたモルタル外壁の接合構造であって、前記切断面は、前記既設のモルタル層の外面側から前記壁下地側へのびる第１縦切断面と、前記第１縦切断面の前記壁下地側の内端から新設のモルタル層側へのびる横切断面と、前記横切断面の新設のモルタル層側の端部から前記壁下地側へのびる第２縦切断面とを含むクランク状をなすことにより、前記新設のモルタル層は、前記横切断面を覆う覆い部を有し、前記新設のモルタル層の前記覆い部には、補強用ネットが埋設され、前記補強用ネットは、既設のモルタル層側の端部が、前記第２縦切断面よりも既設のモルタル層側に配されるとともに、新設のモルタル層側の端部が、前記第２縦切断面よりも新設のモルタル層側に配されることを特徴とする。
【０００９】
また、請求項２記載の発明は、前記補強用ネットは、耐アルカリ性を有するガラス繊維ネットからなる請求項１に記載のモルタル外壁の接合構造である。
【００１０】
また、請求項３記載の発明は、前記新設のモルタル層は、前記既設のモルタル層の前記切断面から露出する前記壁下地の外側に配された新設の防水シート、前記新設の防水シートの外側に配された新設のラス網、前記新設の防水シートと、前記新設のラス網とを被覆する新設のモルタルを含み、前記補強用ネットは、前記新設のモルタル層の覆い部の全域に配される請求項１又は２に記載のモルタル外壁の接合構造である。
【００１１】
また、請求項４記載の発明は、前記新設のモルタル層は、前記新設のモルタルの内側、かつ前記第２縦切断面と前記壁下地との入隅で、前記新設の防水シートと前記第２縦切断面との間を水密する第１樹脂モルタルを含む請求項３に記載のモルタル外壁の接合構造である。
【００１２】
また、請求項５記載の発明は、前記新設のモルタル層は、前記新設のモルタルの内側で、前記第１樹脂モルタルに連続し、かつ前記第１縦切断面と、前記横切断面と、前記第２縦切断面とに沿って配置される第２樹脂モルタルを含む請求項４に記載のモルタル外壁の接合構造である。
【００１３】
また、請求項６記載の発明は、壁下地と、該壁下地の外側に配される既設の防水シートと、該既設の防水シートの外側に配された既設のモルタルを含む既設のモルタル層とからなる既設のモルタル外壁に、少なくとも前記壁下地を残して、前記既設のモルタル層を切断除去する切断面形成工程と、この切断除去された前記既設のモルタル層の切断面に、新設のモルタル層を接続させる新設モルタル層形成工程と含むモルタル外壁の接合方法であって、前記切断面形成工程では、前記既設モルタル層の外面側から前記壁下地側へのびる第１縦切断面と、前記第１縦切断面の内端から新設のモルタル層側へのびる横切断面と、前記横切断面の新設のモルタル層側の端部から前記壁下地側へのびる第２縦切断面とを含むクランク状の切断面を形成し、前記新設モルタル層形成工程では、前記新設のモルタルを塗布するモルタル塗布工程と、前記横切断面を覆う前記新設のモルタル層の覆い部に、補強用ネットを埋設する補強用ネット埋設工程とを含み、前記補強用ネットは、既設のモルタル層側の端部が、前記第２縦切断面よりも既設のモルタル層側に配されるとともに、前記新設のモルタル層側の端部が、前記第２縦切断面よりも新設のモルタル層側に配されることを特徴とする。
【００１４】
また、請求項７記載の発明は、前記新設モルタル層形成工程では、前記モルタル塗布工程と、前記補強用ネット埋設工程とに先立ち、前記既設のモルタル層の前記切断面から露出する前記壁下地の外側に、新設の防水シートを配する防水シート配置工程、前記新設の防水シートの外側に新設のラス網を配するラス網配置工程を含む請求項６に記載のモルタル外壁の接合方法である。
【００１５】
また、請求項８記載の発明は、前記新設モルタル層形成工程では、前記第２縦切断面と前記壁下地との入隅で、前記新設の防水シートと前記第２縦切断面との間に、第１樹脂モルタルを配して水密する第１樹脂モルタル配置工程を含む請求項７に記載のモルタル外壁の接合方法である。
【００１６】
また、請求項９記載の発明は、前記新設モルタル層形成工程では、前記第１樹脂モルタルの上端に連続させ、かつ前記第１縦切断面と、前記横切断面と、前記第２縦切断面とに沿って第２樹脂モルタルを配する第２樹脂モルタル配置工程を含む請求項８に記載のモルタル外壁の接合方法である。
【発明の効果】
【００１７】
本発明のモルタル外壁の接合構造は、壁下地と、該壁下地の外側に配される既設の防水シートと、該既設の防水シートの外側に配された既設のモルタルを含む既設のモルタル層とからなる既設のモルタル外壁に、少なくとも壁下地を残して、既設のモルタル層を切断除去し、この切断除去された既設のモルタル層の切断面に、新設のモルタル層を接続させている。
【００１８】
また、切断面は、既設のモルタル層の外面側から壁下地側へのびる第１縦切断面と、第１縦切断面の壁下地側の内端から新設のモルタル層側へのびる横切断面と、横切断面の新設のモルタル層側の端部から壁下地側へのびる第２縦切断面とを含むクランク状をなすことにより、新設のモルタル層は、横切断面を覆う覆い部を有する。
【００１９】
このような切断面は、モルタル外壁の外面から壁下地までの水道の長さを大幅に大きくしうるとともに、クランク状に屈曲でき、雨水が切断面を通って壁下地に到達するのを長期に亘って抑制しうる。従って、本発明の接合構造は、モルタル層の接合部での防水性を大幅に向上しうる。
【００２０】
また、新設のモルタル層の覆い部には、補強用ネットが埋設される。このような補強用ネットは、厚さの小さい覆い部を補強して、クラック等の損傷を防ぎ、接合部での耐久性を維持しうる。
【００２１】
しかも、補強用ネットは、既設のモルタル層側の端部が、第２縦切断面よりも既設のモルタル層側に配されるとともに、新設のモルタル層側の端部が、第２縦切断面よりも新設のモルタル層側に配される。このような補強用ネットは、クラックの起点となりやすい第２縦切断面を覆うことができるため、クラック等の損傷を確実に防ぎ、耐久性を向上しうる。
【図面の簡単な説明】
【００２２】
【図１】本実施形態のモルタル外壁の接合構造を示す斜視図である。
【図２】図１のＡ−Ａ断面図である。
【図３】他の実施形態の接合構造を示す断面図である。
【図４】サッシが取り付けられた接合構造を示す断面図である。
【図５】（ａ）、（ｂ）は切断面形成工程を説明する断面図である。
【図６】（ａ）、（ｂ）は防水シート配置工程を説明する断面図である。
【図７】（ａ）はラス網配置工程を説明する断面図、（ｂ）は第１樹脂モルタル配置工程を説明する断面図、（ｃ）は第２樹脂モルタル配置工程を説明する断面図である。
【図８】（ａ）、（ｂ）はモルタル塗布工程を説明する断面図、（ｃ）は補強用ネット埋設工程を説明する断面図である。
【発明を実施するための形態】
【００２３】
以下、本発明の実施の一形態が図面に基づき説明される。
図１に示されるように、本実施形態のモルタル外壁１の接合構造（以下、単に「接合構造」ということがある。）は、住宅のリフォーム等で既設のモルタル外壁１ｏを延設するのに用いられる。
【００２４】
具体的には、壁下地２と、該壁下地２の外側に配される既設の防水シート１１と、該既設の防水シート１１の外側に配された既設のモルタル１３を含む既設のモルタル層３とからなる既設のモルタル外壁１ｏに、少なくとも壁下地２を残して、既設のモルタル層３を切断除去し、この切断除去された既設のモルタル層３の切断面４に、新設のモルタル層５を接合して構成される。
【００２５】
前記壁下地２は、例えば、左右に間隔を空けて配され、かつ上下にのびる胴縁７、７と、この胴縁７に固定された複数かつ長尺な板材６とからなる。そして、板材６は、例えば上下方向に隙間８を空けて配されることで、壁下地２がすのこ状に形成される。なお、板材６には、構造用合板などの面材等からなるものでもよい。
【００２６】
前記既設の防水シート１１は、壁下地２の外側に、上下及び左右方向に連続して配される。このような既設の防水シート１１は、既設のモルタル１３から染み込んだ雨水等が、壁下地２側に浸入するのを防ぎうる。なお、この既設の防水シート１１には、例えば、アスファルトフェルト等が適宜採用される。
【００２７】
前記既設のモルタル層３は、図１及び図２に示されるように、既設の防水シート１１の外側に配される既設のラス網１２と、この既設のラス網１２の外側に配される前記既設のモルタル１３とを含む。
【００２８】
前記既設のラス網１２は、既設の防水シート１１の外側に沿って配置され、例えば、ステープル等によって打ち留めされる。このような既設のラス網１２は、既設のモルタル１３を保持し、該既設のモルタル１３が剥落するのを防ぎうる。なお、既設のラス網１２には、例えば、平ラス、波形ラスリブラスなどの異形ラス、複合ラス、又はワイヤラス等が適宜採用される。
【００２９】
前記既設のモルタル１３は、壁下地２の外側に、既設の防水シート１１及び既設のラス網１２を被覆して配置される。この既設のモルタル１３には、例えば、砂モルタル、既調合軽量セメントモルタル、現場調合軽量セメントモルタル、又はこれらを組み合わせたセメントモルタルが適宜採用される。
【００３０】
前記切断面４は、既設のモルタル層３の外面側から壁下地２側へのびる第１縦切断面４Ａと、この第１縦切断面４Ａの壁下地２側の内端４Ａｉから新設のモルタル層５側へのびる横切断面４Ｂと、この横切断面４Ｂの新設のモルタル層５側の端部４Ｂｎから壁下地２側へのびる第２縦切断面４Ｃとを含み、クランク状をなしている。これにより、新設のモルタル層５には、横切断面４Ｂを覆う薄肉状の覆い部５Ａが形成される。
【００３１】
このような切断面４は、モルタル外壁１の外面から壁下地２までの水道の長さを大幅に大きくしうるとともに、クランク状に屈曲できるため、雨水が切断面４を通って壁下地２に到達するのを長期に亘って抑制しうる。従って、本発明の接合構造は、既設のモルタル層３と新設のモルタル層５との接合部での防水性を大幅に向上しうる。
【００３２】
前記第１縦切断面４Ａは、既設のモルタル層３の外面からほぼ直角に壁下地２側に向かってモルタル外壁１の厚さ方向にのび、かつその内端４Ａｉが既設のラス網１２に至ることなく終端する。これにより、横切断面４Ｂにおける既設のモルタル層３の厚さが過度に小さくなるのを抑制でき、耐久性を維持しうる。この第１縦切断面４Ａの厚さ方向の長さＬ１は、好ましくは２mm以上、さらに好ましくは４mm以上が望ましく、また、好ましくは１０mm以下、さらに好ましくは８mm以下が望ましい。
【００３３】
また、本実施形態の第１縦切断面４Ａは、既設のモルタル層３の厚さ方向と平行にのびるものが例示されるが、これに限定されるわけではない。例えば、第１縦切断面４Ａは、既設のモルタル層３側から新設のモルタル層５側へ、厚さ方向に対して傾斜するものでもよい。これにより、第１縦切断面４Ａは、前記水道をより大きくでき、防水性をさらに向上しうる。
【００３４】
前記横切断面４Ｂは、第１縦切断面４Ａの内端４Ａｉから新設のモルタル層５側へ、壁下地２と平行にのびる。この横切断面４Ｂの壁下地２に沿った長さＬ２は、好ましくは２０mm以上、さらに好ましくは５０mm以上が望ましく、また、好ましくは２００mm以下、さらに好ましくは１００mm以下が望ましい。
【００３５】
また、本実施形態の前記横切断面４Ｂは、例えば、該壁下地２に交わる方向へ傾斜するものでもよい。このような横切断面４Ｂも、前記水道を大きくしうる点で好ましい。
【００３６】
前記第２縦切断面４Ｃは、横切断面４Ｂの前記端部４Ｂｎから壁下地２側へ厚さ方向にのび、壁下地２側の内端４Ｃｉが壁下地２で終端している。この第２縦切断面４Ｃも、第１縦切断面４Ａと同様の観点より、厚さ方向に対して傾斜するものでもよい。
【００３７】
本実施形態の新設のモルタル層５は、例えば、第２縦切断面４Ｃから露出する壁下地２の上に配される新設の防水シート１７、該新設の防水シート１７の外側に配された新設のラス網１８、第２縦切断面４Ｃと壁下地２との入隅１４に配される第１樹脂モルタル１９、第１樹脂モルタル１９に連続し、かつ前記切断面４に配置される第２樹脂モルタル２０、これらの部材を被覆する新設のモルタル２１、及び前記覆い部５Ａに埋設される補強用ネット２２を含む。
【００３８】
本実施形態の新設の防水シート１７は、その既設のモルタル層３側が、第２縦切断面４Ｃに近接して配される防水テープ１６を介して配置される。これにより、新設の防水シート１７は、壁下地２の外側で、防水テープ１６を介して、既設の防水シート１１と連続させることができ、接合部での防水性を向上しうる。なお、この新設の防水シート１７としては、前記既設の防水シート１１と同様のものが望ましく、また、防水テープ１６としては、例えば、アスファルトフェルト、ブチルテープ、アクリルテープ、又はゴムアスファルトテープ等からなるものが望ましい。
【００３９】
前記新設のラス網１８は、新設の防水シート１７の外側に配され、ステープル等で打ち止めされる。本実施形態の新設のラス網１８は、特に限定されないが、平ラスを除くメタルラスが望ましく、また、波形ラス、リブラス等の異形ラス、力骨付きラス等の複合ラス等が望ましい。
【００４０】
また、前記新設のラス網１８は、既設のモルタル層３側の側縁１８ｏが、前記防水テープ１６の少なくとも一部に積層されるのが望ましい。これにより、新設のラス網１８は、第２縦切断面４Ｃ側において、新設のモルタル２１を確実に保持しうる。
【００４１】
前記第１樹脂モルタル１９は、前記入隅１４で、新設の防水シート１７と第２縦切断面４Ｃとの間を覆って配される。このような第１樹脂モルタル１９は、新設の防水シート１７の側縁１７ｏと、前記第２縦切断面４Ｃとの間の隙間を塞いで水密にでき、接合部での防水性をさらに向上しうる。しかも、本実施形態では、第１樹脂モルタル１９の他に、シーリング材等を別途充填することなく水密でき、材料・工事コストや施工期間を抑えうる。
【００４２】
また、第１樹脂モルタル１９は、第２縦切断面４Ｃにおいて、既設のモルタル１３と新設のモルタル２１との仲介接着剤として作用しうるため、接合部での耐久性をも向上しうる。この第１樹脂モルタル１９としては、例えば、ポリマーセメントモルタル等が適宜採用される。
【００４３】
前記第２樹脂モルタル２０は、第１樹脂モルタル１９と連続し、かつ第１縦切断面４Ａ、横切断面４Ｂ、及び第２縦切断面４Ｃに沿って配置される。このような第２樹脂モルタル２０も、第１樹脂モルタル１９と同様に、既設のモルタル１３と新設のモルタル２１との間を水密にしうるとともに、仲介接着剤として作用しうるため、接合部での耐水性及び耐久性を向上しうる。
【００４４】
なお、第２樹脂モルタル２０としては、第１樹脂モルタル１９と同様のものが適宜採用できるが、第１樹脂モルタル１９よりも骨材量が少ないもの、又は骨材が含有されないものが望ましい。また、第２樹脂モルタル２０に骨材が含有される場合は、第１樹脂モルタル１９よりも、骨材径が小さいものが望ましい。
【００４５】
前記新設のモルタル２１は、第１樹脂モルタル１９及び第２樹脂モルタル２０の外側に配され、かつ新設の防水シート１７と、新設のラス網１８とを被覆する。なお、新設のモルタル２１としては、特に限定されないが、既設のモルタル１３と同様のものが適宜採用されるが、既調合軽量セメントモルタルが最も望ましい。
【００４６】
前記補強用ネット２２は、新設のモルタル層５の外面と、前記横切断面４Ｂとの間を、前記壁下地２と略平行にのびている。このような補強用ネット２２は、厚さの小さい覆い部５Ａを補強してクラック等の損傷を防ぎ、接合部での耐久性を維持しうる。
【００４７】
また、前記補強用ネット２２は、その既設のモルタル層３側の端部２２ｏが、第２縦切断面４Ｃよりも既設のモルタル層３側に配されるとともに、新設のモルタル層５側の端部２２ｎ（図４に示す）が、第２縦切断面４Ｃよりも新設のモルタル層５側に配されるのが望ましい。これにより、補強用ネット２２は、クラックの起点となりやすい第２縦切断面４Ｃを覆うことができるため、クラック等の損傷を確実に防ぎ、接合部での耐久性をさらに向上しうる。
【００４８】
さらに、前記補強用ネット２２は、覆い部５Ａの全域に埋設されるのが望ましく、また、該覆い部５Ａから新設のモルタル層５側へ連続して埋設されるのが望ましい。これにより、補強用ネット２２は、新設のモルタル層５を広範囲に亘って補強でき、クラック等の損傷を防ぎうる。
【００４９】
前記補強用ネット２２としては、特に限定されないが、とりわけ、耐アルカリ性を有するガラス繊維ネットが望ましい。このようなガラス繊維ネットは、アルカリ性の強い新設のモルタル２１内に埋設されても、優れた引張強度を維持でき、覆い部５Ａの耐久性を確実に向上しうる。
【００５０】
なお、耐アルカリ性を有するガラス繊維ネットとしては、ジルコニアが１０質量％以上、さらに好ましくは１６質量％以上含有されるガラス繊維ネット、又は表面に耐アルカリコーティングがなされたガラス繊維ネットが望ましい。また、ガラス繊維ネットは、質量が８０ｇ／ｍ2以上、かつメッシュ間隔が４〜１０mmのものが望ましい。
【００５１】
図３には、本発明の他の実施形態が示される。
この実施形態の接合構造では、第２縦切断面４Ｃの内端４Ｃｉが、既設の防水シート１１で終端する。これにより、既設の防水シート１１には、前記第２縦切断面４Ｃから新設のモルタル層５側へはみ出すはみ出し部１１Ａが形成される。このようなはみ出し部１１Ａは、第２縦切断面４Ｃと壁下地２との入隅１４から、壁下地２への雨水が浸入するのをより効果的に防ぎ、接合部での防水性を向上しうる。
【００５２】
また、前記新設の防水シート１７は、その既設のモルタル層３側の一部が、既設の防水シート１１のはみ出し部１１Ａの上に積層され、かつ壁下地２の外側を覆って配されるのが望ましい。これにより、新設の防水シート１７は、図２に示される防水テープ１６を設けることなく、壁下地２の外側で、既設の防水シート１１と連続して配置することができるため、材料・工事コストを抑制しつつ、壁下地２への雨水の浸入を確実に防ぎうる。また、既設の防水シート１１と新設の防水シート１７との間に、前記防水テープ１６を配置すると、耐久性をさらに向上させることができる。
【００５３】
図４には、モルタル外壁１の新設のモルタル層５側に、窓枠等のサッシ２５が配された接合構造が示される。
本実施形態のサッシ２５は、新設のモルタル層５側で、壁下地２に支持される。このサッシ２５は、前記壁下地２の長手方向と直交しかつ新設のモルタル層５の外面側に突出する基部２５ａと、該基部２５ａから壁下地２の外面に沿って既設のモルタル層３側へのびるフランジ２５ｂとを有する。
【００５４】
前記新設の防水シート１７は、サッシ２５のフランジ２５ｂの外面を覆い、かつサッシ２５側の端部１７ｎが、サッシ２５の基部２５ａで終端する。このような新設の防水シート１７は、前記サッシ２５と壁下地２との間に、雨水が浸入するのを防ぎうる。なお、この新設の防水シート１７は、サッシ２５のフランジ２５ｂに、両面防水テープ２７で圧着される。
【００５５】
前記新設のラス網１８は、新設のモルタル層５側の側縁１８ｎが、サッシ２５のフランジ２５ｂを覆って配置される。これにより、新設のラス網１８は、第２縦切断面４Ｃからサッシ２５の基部２５ａまでの広範囲に亘って、新設のモルタル２１を保持しうる。なお、新設のラス網１８の側縁１８ｎは、サッシ２５の基部２５ａから離間して配置されているのが望ましい。これにより、ラス網１８とサッシ２５との金属の電位差による腐食を効果的に防ぎうる。
【００５６】
前記サッシ２５の基部２５ａとフランジ２５ｂとの入隅２５ｃには、新設の防水シート１７と基部２５ａとの間を覆う第３樹脂モルタル２６が配置される。このような第３樹脂モルタル２６は、新設の防水シート１７と基部２５ａとの間の隙間を塞いで水密にしうるとともに、サッシ２５と新設のモルタル２１との仲介接着剤として作用しうる。この第３樹脂モルタル２６としては、第１樹脂モルタル１９と同様のものが採用されるのが望ましい。
【００５７】
前記新設のモルタル２１は、第３樹脂モルタル２６の外側に、新設の防水シート１７、及び新設のラス網１８を被覆して配される。
【００５８】
本実施形態の補強用ネット２２は、そのサッシ２５側の端部２２ｎが、サッシ２５の基部２５ａの近傍で終端している。このような補強用ネット２２は、既設のモルタル層３の切断面４からサッシ２５にかけて、広範囲で補強することができ、クラック等の損傷を確実に防ぎうる。
【００５９】
この実施形態では、窓枠等のサッシ２５が配された接合構造が示されたが、これに限定されるわけではなく、例えば、庇やシャッター雨戸などの部品を配置することができる。
【００６０】
次に、本実施形態のモルタル外壁の接合方法の一例について説明する。
本実施形態の接合方法では、前記既設のモルタル外壁１ｏに、少なくとも壁下地２を残して、既設のモルタル層３を切断除去する切断面形成工程と、この切断除去された既設のモルタル層３の切断面４に、新設のモルタル層５を接続させる新設モルタル層形成工程と含む。
【００６１】
前記切断面形成工程では、図５（ａ）に示されるように、既設のモルタル外壁１ｏを、既設のモルタル層３の外面から壁下地２側へ厚さ方向に切断して、該壁下地２の長手方向に直交する第１切断面３０を形成する第１切断工程、及び図５（ｂ）に示されるように、第１切断面３０と既設のモルタル層３の外面とを、既設のモルタル層３側へ入隅状に切り欠いた切欠部３１を形成する第２切断工程を含む。
【００６２】
これにより、第１切断面３０及び切欠部３１には、前記第１縦切断面４Ａ、前記横切断面４Ｂ、及び前記第２縦切断面４Ｃを含むクランク状の切断面４が形成される。
【００６３】
前記新設モルタル層形成工程では、前記新設の防水シート１７を配する防水シート配置工程、前記新設のラス網１８を配するラス網配置工程、前記第１樹脂モルタル１９を配する第１樹脂モルタル配置工程、前記第２樹脂モルタル２０を配する第２樹脂モルタル配置工程、前記新設のモルタル２１を塗布するモルタル塗布工程、及び補強用ネット２２を埋設する補強用ネット埋設工程を含む。
【００６４】
本実施形態の防水シート配置工程では、図６（ａ）に示されるように、新設の防水シート１７が、第２縦切断面４Ｃに近接して配される防水テープ１６を介して、壁下地２の外側に固着される。また、図６（ｂ）に示されるように、第２縦切断面４Ｃから新設のモルタル層５（図２に示す）側へはみ出すはみ出し部１１Ａが設けられる場合には、新設の防水シート１７が、はみ出し部１１Ａの少なくとも一部に積層されるように固着されるのが望ましい。
【００６５】
前記ラス網配置工程では、図７（ａ）に示されるように、新設のラス網１８を、新設の防水シート１７の外側に配置して、ステープル等で打ち止めする。また、新設のラス網１８の既設のモルタル層３側の側縁１８ｏは、防水テープ１６の少なくとも一部に積層されるのが望ましい。
【００６６】
前記第１樹脂モルタル配置工程では、図７（ｂ）に示されるように、第２縦切断面４Ｃと壁下地２との入隅１４で、新設の防水シート１７と第２縦切断面４Ｃとの間に第１樹脂モルタル１９を配して水密にする。この第１樹脂モルタル１９は、入隅１４に盛られた後、ヘラやコテ等によって、新設の防水シート１７側に押し付けられる。これにより、第１樹脂モルタル１９を、該新設の防水シート１７の側縁１７ｏと第２縦切断面４Ｃとの隙間に浸透させうる。
【００６７】
前記第２樹脂モルタル配置工程では、図７（ｃ）に示されるように、第２樹脂モルタル２０が、第１樹脂モルタル１９の上端１９ｕと連続し、かつ第１縦切断面４Ａ、横切断面４Ｂ、及び第２縦切断面４Ｃの外面に沿って配される。これにより、第１樹脂モルタル１９及び第２樹脂モルタル２０が、切断面４の外側に連続して配される。
【００６８】
前記モルタル塗布工程では、図８（ａ）に示されるように、第１、第２樹脂モルタル１９、２０の外側に、新設の防水シート１７及び新設のラス網１８を被覆するように、新設のモルタル２１が塗り込まれる。本実施形態では、新設のモルタル２１が、第１樹脂モルタル１９と第２樹脂モルタル２０との接点付近まで塗り込まれて、一定時間養生された後に、図８（ｂ）に示されるように、既設のモルタル１３の外面まで塗り込まれる。
【００６９】
そして、前記補強用ネット埋設工程では、図８（ｃ）に示されるように、補強用ネット２２が、未硬化の新設のモルタル２１の外面に配置された後、新設のモルタル２１内に、コテ等で伏せ込まれて埋設される。
【００７０】
前記補強用ネット２２は、その既設のモルタル層３側の端部２２ｏが、第２縦切断面４Ｃよりも既設のモルタル層３側に配されるとともに、新設のモルタル層５側の端部２２ｎ（図４に示す）が、第２縦切断面４Ｃよりも新設のモルタル層５側に配される。これにより、補強用ネット２２は、第２縦切断面４Ｃを確実に覆いうる。この補強用ネット２２は、前記覆い部５Ａの全域に埋設されるのが望ましく、及び該覆い部５Ａから新設のモルタル層５側へ連続して埋設されるのが望ましい。
【００７１】
そして、新設のモルタル２１が硬化した後、本発明のモルタル外壁の接合構造が形成される。
【００７２】
以上、本発明の特に好ましい実施形態について詳述したが、本発明は図示の実施形態に限定されることなく、種々の態様に変形して実施しうる。
【符号の説明】
【００７３】
２      壁下地
３      既設のモルタル層
４      切断面
４Ａ    第１縦切断面
４Ｂ    横切断面
４Ｃ    第２縦切断面
５      新設のモルタル層
１１      既設の防水シート
１３      既設のモルタル
２２      補強用ネット
【図１】
0005759330.tif 000002
【図２】
0005759330.tif 000003
【図３】
0005759330.tif 000004
【図４】
0005759330.tif 000005
【図５】
0005759330.tif 000006
【図６】
0005759330.tif 000007
【図７】
0005759330.tif 000008
【図８】
0005759330.tif 000009